(57)【要約】【課題】重複してデータを入力することなく複数のアプリケーションを実行することができる情報処理装置および情報処理方法を提供することができる。【解決手段】メモ情報Ｄ＿ｍを入力可能に設定させるためのメモスイッチ１５１を含む第２操作部１５と、少なくともメモ情報を入力する第１操作部１４と、第１操作部１４により入力されたメモ情報と、メモ情報を基に異なる処理を行う複数のアプリケーションを選択可能なメニューを表示する表示部１３と、表示部１３が表示したメニューから少なくとも一アプリケーションを選択する選択部１９２と、選択されたアプリケーションの機能に応じた付加情報Ｄ＿ｍａを第１操作部１４で入力可能に設定し、第１操作部１４から付加情報Ｄ＿ｍａが設定されると付加情報Ｄ＿ｍａをメモ情報Ｄ＿ｍに関連付け、メモ情報Ｄ＿ｍおよび付加情報Ｄ＿ｍａに基づいてアプリケーションを実行するＣＰＵ１９とを設ける。【選択図】  図３
2004272491.tif 000002
【特許請求の範囲】
【請求項１】
少なくともメモ情報を入力する入力手段と、
前記入力手段により入力されたメモ情報と、前記メモ情報を基に異なる処理を行う複数のアプリケーションを選択可能なメニューを表示する表示手段と、
前記表示手段が表示したメニューから、少なくとも一アプリケーションを選択する選択手段と、
前記選択手段が選択した前記アプリケーションの機能に応じた付加情報を前記入力手段で入力可能に設定し、前記入力手段から付加情報が設定された場合は、前記付加情報を前記メモ情報に関連付け、前記メモ情報および前記関連付けられた付加情報に基づいて前記アプリケーションを実行する制御手段とを有する
情報処理装置。
【請求項２】
前記アプリケーションは、前記メモ情報、および、前記付加情報としての電子メールアドレス情報に基づいて電子メールの送信を行う電子メール機能を含み、
前記制御手段は、前記選択手段で前記電子メール機能が選択された場合には、前記電子メールアドレス情報を入力可能に設定し、前記入力手段から前記電子メールアドレス情報が設定されると、前記電子メールアドレス情報を前記メモ情報に関連付け、前記メモ情報および前記関連付けられた電子メールアドレス情報に基づいて前記電子メール機能を実行する
請求項１に記載の情報処理装置。
【請求項３】
前記アプリケーションは、前記メモ情報、および、前記付加情報としての日付情報に基づいてスケジュール情報を生成するスケジュール機能を含み、
前記制御手段は、前記選択手段で前記スケジュール機能が選択された場合には、前記日付情報を入力可能に設定し、前記入力手段から前記日付情報が設定されると、前記日付情報を前記メモ情報に関連付け、前記メモ情報および前記関連付けられた日付情報に基づいて前記スケジュール機能を実行する
請求項１または２に記載の情報処理装置。
【請求項４】
前記アプリケーションは、前記メモ情報を基に、前記付加情報としての前記メモ情報の貼付け先を示す付箋情報に基づいて、当該貼付け先に前記メモ情報を貼付けた画像を生成する付箋機能を含み、
前記制御手段は、前記選択手段で前記付箋機能が選択された場合には、前記付箋情報を入力可能に設定し、前記入力手段から前記付箋情報が設定されると、前記付箋情報を前記メモ情報と関連付け、前記メモ情報および前記関連付けられた付箋情報に基づいて前記付箋機能を実行する
請求項１〜３のいずれかに記載の情報処理装置。
【請求項５】
少なくとも前記入力手段から入力されたメモ情報を記憶する記憶手段を有し、
前記制御手段は、前記付加情報が設定された場合は、前記記憶手段に記憶しているメモ情報に関連付けて前記付加情報を記憶し、前記付加情報を記憶後新たに前記アプリケーションを実行する場合には、前記メモ情報および前記関連付けられた付加情報に基づいて当該アプリケーションを実行する
請求項１〜４のいずれかに記載の情報処理装置。
【請求項６】
前記メモ情報を入力可能に設定させるためのメモ情報入力スイッチを有し、
前記制御手段は、前記メモ情報入力スイッチが操作された場合には、前記入力手段に前記メモ情報を入力可能に設定する
請求項１〜５のいずれかに記載の情報処理装置。
【請求項７】
メモ情報に応じた処理を行う情報処理方法であって、
メモ情報を入力する第１の工程と、
前記第１の工程により入力されたメモ情報と、前記メモ情報を基に異なる処理を行う複数のアプリケーションを選択可能なメニューを表示する第２の工程と、
前記第２の工程で表示したメニューから、少なくとも一アプリケーションを選択する第３の工程と、
前記第３の工程で選択した前記アプリケーションの機能に応じた付加情報を入力可能に設定し、前記付加情報が設定された場合は、前記付加情報を前記メモ情報に関連付け、前記メモ情報および前記関連付けられた付加情報に基づいて前記アプリケーションを実行する第４の工程とを有する
情報処理方法。
【請求項８】
前記第３の工程は、前記アプリケーションとして、前記メモ情報、および、前記付加情報としての電子メールアドレス情報に基づいて電子メールの送信を行う電子メール機能を選択し、
前記第４の工程は、前記電子メールアドレス情報を入力可能に設定し、前記電子メールアドレス情報が設定されると、前記電子メールアドレス情報を前記メモ情報に関連付け、前記メモ情報および前記関連付けられた電子メールアドレス情報に基づいて前記電子メール機能を実行する
請求項７に記載の情報処理方法。
【請求項９】
前記第３の工程は、前記アプリケーションとして、前記メモ情報、および、前記付加情報としての日付情報に基づいてスケジュール情報を生成するスケジュール機能を選択し、
前記第４の工程は、前記日付情報を入力可能に設定し、前記日付情報が設定されると、前記日付情報を前記メモ情報に関連付け、前記メモ情報および前記関連付けられた日付情報に基づいて前記スケジュール機能を実行する
請求項７または８に記載の情報処理方法。
【請求項１０】
前記第３の工程は、前記アプリケーションとして、前記メモ情報を基に、前記付加情報としての前記メモ情報の貼付け先を示す付箋情報に基づいて、当該貼付け先に前記メモ情報を貼付けた画像を生成する付箋機能を選択し、
前記第４の工程は、前記付箋情報を入力可能に設定し、前記付箋情報が設定されると、前記付箋情報を前記メモ情報と関連付け、前記メモ情報および前記関連付けられた付箋情報に基づいて前記付箋機能を実行する
請求項７〜９のいずれかに記載の情報処理方法。
【請求項１１】
前記第１の工程は、前記入力されたメモ情報を記憶手段に記憶し、
前記第４の工程は、前記付加情報が設定された場合は、前記記憶手段に記憶しているメモ情報に関連付けて前記付加情報を記憶し、前記付加情報を記憶後新たに前記アプリケーションを実行する場合には、前記メモ情報および前記関連付けられた付加情報に基づいて当該アプリケーションを実行する
請求項７〜１０のいずれかに記載の情報処理方法。
【請求項１２】
前記第１の工程は、メモ情報を入力可能に設定させるためのメモ情報入力スイッチが操作された場合には、前記メモ情報を入力可能に設定する
請求項７〜１１のいずれかに記載の情報処理方法。
【発明の詳細な説明】
【０００１】
【発明の属する技術分野】
本発明は、例えば、メモ情報を入力し、複数のアプリケーションを実行する情報処理装置、および情報処理方法に関するものである。
【０００２】
【従来の技術】
従来、情報技術の発達により、例えばパーソナルコンピュータ（ＰＣ）や携帯電話等の情報処理装置には様々な機能、例えば、文章作成機能、電子メール機能、スケジュール管理機能等が備わっている。例えばそれぞれの機能はＣＰＵにより実行されるアプリケーションにより実現される。
ユーザは、例えばそれらの機能を使用する場合に、最初に何をするかを決め、情報処理装置にその機能を実行させて、例えば電子メール機能を利用する。
【０００３】
【発明が解決しようとする課題】
ユーザが上述した情報処理装置の各機能を使用する場合には、所望の機能を実行し、それぞれのデータの作成や保存作業を行う。
例えばメール機能を使用する場合には、ユーザはメール欄を開き、メールの入力を開き、メールを作成する。詳細には宛先を入力し、本文を作成し、送信ボタンをクリックする。スケジュール機能を使用する場合には、スケジュール表を開き、スケジュールを作成する。詳細には、スケジュールを作成して、日付を入力し、スケジュールの完了ボタンをクリックする。メモ機能を使用する場合には、メモ欄を開き、メモの保存先を指定する。
【０００４】
しかし、機械操作に不慣れなユーザにとって、上述した従来の情報処理装置において、機能毎に煩雑な入力作業を行う必要があり、改善が望まれている。
また、入力の際、異なる機能でデータを重複して入力する場合が多く入力作業が煩雑になり、改善が望まれている。
【０００５】
本発明は、かかる事情に鑑みてなされたものであり、その目的は、重複してデータを入力することなく、複数のアプリケーションを実行することができる情報処理装置、および情報処理方法を提供することにある。
【０００６】
【課題を解決するための手段】
前記目的を達成するために、本発明の第１の観点は、少なくともメモ情報を入力する入力手段と、前記入力手段により入力されたメモ情報と、前記メモ情報を基に異なる処理を行う複数のアプリケーションを選択可能なメニューを表示する表示手段と、前記表示手段が表示したメニューから、少なくとも一アプリケーションを選択する選択手段と、前記選択手段が選択した前記アプリケーションの機能に応じた付加情報を前記入力手段で入力可能に設定し、前記入力手段から付加情報が設定された場合は、前記付加情報を前記メモ情報に関連付け、前記メモ情報および前記関連付けられた付加情報に基づいて前記アプリケーションを実行する制御手段とを有する。
【０００７】
本発明の第１の観点によれば、入力手段では少なくともメモ情報を入力する。表示手段では、入力手段により入力されたメモ情報と、メモ情報を基に異なる処理を行う複数のアプリケーションを選択可能なメニューを表示する。選択手段では、表示手段が表示したメニューから、少なくとも一アプリケーションを選択する。
制御手段では、選択手段が選択したアプリケーションの機能に応じた付加情報を入力手段で入力可能に設定し、入力手段から付加情報が設定された場合は、付加情報をメモ情報に関連付け、メモ情報および関連付けられた付加情報に基づいてアプリケーションを実行する。
【０００８】
さらに前記目的を達成するために、本発明の第２の観点は、メモ情報に応じた処理を行う情報処理方法であって、メモ情報を入力する第１の工程と、前記第１の工程により入力されたメモ情報と、前記メモ情報を基に異なる処理を行う複数のアプリケーションを選択可能なメニューを表示する第２の工程と、前記第２の工程で表示したメニューから、少なくとも一アプリケーションを選択する第３の工程と、前記第３の工程で選択した前記アプリケーションの機能に応じた付加情報を入力可能に設定し、前記付加情報が設定された場合は、前記付加情報を前記メモ情報に関連付け、前記メモ情報および前記関連付けられた付加情報に基づいて前記アプリケーションを実行する第４の工程とを有する。
【０００９】
【発明の実施の形態】
本実施形態では、例えば情報処理装置として携帯型情報端末装置を例示し、図１〜４を参照しながら説明する。
図１は本発明に係る情報処理装置の一実施形態を示す機能ブロック図である。図２は図１に示した情報処理装置の正面図である。
【００１０】
本実施形態に係る情報処理装置１は、図１に示すように、通信インタフェース（Ｉ／Ｆ）１１、計時部１２、表示部１３、第１操作部１４、第２操作部１５、保存メモリ１６、ＲＡＭ（Ｒａｎｄｏｍ  ａｃｃｅｓｓ  ｍｅｍｏｒｙ）１７、ＲＯＭ（Ｒｅａｄ  ｏｎｌｙ  ｍｅｍｏｒｙ）１８、およびＣＰＵ（Ｃｅｎｔｒａｌ  ｐｒｏｃｅｓｓｉｎｇ  ｕｎｉｔ  ）１９を有する。
【００１１】
通信インタフェース（Ｉ／Ｆ）１１は、例えばアンテナ１１１を介して不図示の通信ネットワークを介してメールサーバ等の通信情報処理装置にアクセスし、例えば電子メール等のデータの送受信を行う。
計時部１２は、例えば水晶振動子の振動に基づいて計時し、時刻情報をＣＰＵ１９に出力する。
【００１２】
表示部１３は、ＣＰＵ１９の制御により、本実施形態に係る画像の表示を行う。例えば表示部１３は、メモ情報と、メモ情報を基に異なる処理を行う複数のアプリケーションを選択可能なメニューを表示する。
第１操作部１４は、タッチパネル１４１、入力／出力制御部１４２を有する。タッチパネル１４１は入力手段に相当する。
【００１３】
タッチパネル１４１は、入力／出力制御部１４２の制御により、例えばユーザの操作によるタッチペン２０の接触領域に応じた信号を入力／出力制御部１４２を介して、ＣＰＵ１９に出力する。
入力／出力制御部１４２は、ＣＰＵ１９の制御により、例えばタッチパネル１４１および表示部１３の入出力を制御する。詳細には、例えばＣＰＵ１９からの信号に応じて、所定の画像を表示させる制御信号を表示部１３に出力する。
また、タッチパネル１４１からの信号をＣＰＵ１９に出力する。
【００１４】
説明の便宜上、入力手段としてのタッチパネル１４１と表示手段としての表示部１３とを機能的に分けて説明したが、この形態に限られるものではない。両機能を有するタッチパネル１４１としてよい。
例えばＣＰＵ１９は、表示部１３に所定の機能が関連付けられたアイコンやソフトウェアキーボード等を表示させ、タッチパネル１４１からの信号に応じた処理を行うことで、ユーザにＧＵＩ（Ｇｒａｐｈｉｃａｌ  ｕｓｅｒ  ｉｎｔｅｒｆａｃｅ）環境を提供する。
【００１５】
第２操作部１５は、ハードウェアの操作スイッチを有する。第２操作部１５は、例えば操作スイッチ１５０、Ｉ／Ｏ（インプット／アウトプット）１５５を有する。
操作スイッチ１５０は、ユーザにより操作されるハードウェアのスイッチであり、例えば図１に示すようにメモスイッチ１５１、モードスイッチ１５２、前スイッチ１５３、および次スイッチ１５４を有する。
【００１６】
メモスイッチ１５１は、メモ情報を入力可能に設定させるためのスイッチであり、ユーザの操作により信号Ｓ１５１をＩ／Ｏ１５５を介してＣＰＵ１９に出力する。ＣＰＵ１９は、メモスイッチ１５１が操作されると、メモ情報を入力可能に設定する。
モードスイッチ１５２は、所定の入力を行う入力モードや、時刻を表示させる時刻表示モードを選択する際に操作されるスイッチであり、ユーザの操作により信号Ｓ１５２をＩ／Ｏ１５５を介してＣＰＵ１９に出力する。
【００１７】
前スイッチ１５３は、例えば画面上の選択項目において前の選択項目を選択する際や、前ページ等を閲覧する際に操作されるスイッチであり、ユーザの操作により信号Ｓ１５３をＩ／Ｏ１５５を介してＣＰＵ１９に出力する。
次スイッチ１５４は、例えば画面上の選択項目において次の選択項目を選択する際や、次ページ等を閲覧する際に操作されるスイッチであり、ユーザの操作により信号Ｓ１５４をＩ／Ｏ１５５を介してＣＰＵ１９に出力する。
Ｉ／Ｏ１５５は、操作スイッチ１５０の操作に応じた信号Ｓ１５、例えば信号Ｓ１５１〜Ｓ１５４をＣＰＵ１９に出力する。
【００１８】
情報処理装置１は、例えば図２に示すように、正面中央部に第１操作部１４としてのタッチパネル１４１と表示部１３が設けられている。
正面下部には、第２操作部１５として操作スイッチ１５０が設けられている。例えば詳細には、前スイッチ１５３と次スイッチ１５４の間に、モードスイッチ１５２が設けられ、モードスイッチ１５２と表示部１３の間にメモ（書く）スイッチ１５１が設けられている。
この際、前スイッチ１５３および次スイッチ１５４よりも大きく、互いに異なる形状のモードスイッチ１５２およびメモスイッチ１５１を設けることで、ユーザにとって視覚的にわかりやすく操作しやすい。
【００１９】
第１操作部１４のタッチパネル１４１は、例えばタッチペン２０による接触に応じて文字や図形等が入力される。
また、例えばタッチペン２０は、一端にペン先２１、他端にいわゆる消しゴムの機能を有する消しゴム部２２が設けられている。消しゴム部２２がタッチパネル１４１に接触すると、その接触に応じた信号がＣＰＵ１９に入力され、ＣＰＵ１９では例えば、接触領域の画像、例えば曲線等を消去した画像を表示部１３に表示させる。
【００２０】
保存メモリ１６は、メモ情報Ｄ＿ｍやメモ情報に関連付けられる付加情報Ｄ＿ｍａ等を有する。
ＲＡＭ１７は、ＣＰＵ１９の制御のもと、作業スペースとして用いられる。
ＲＯＭ１８は、例えば本実施形態に係る処理を行わせる手順を含むアプリケーション、プログラムＰ、初期データ等を含む。
ＣＰＵ１９は、例えばＲＯＭ１８が記憶するアプリケーション、プログラムＰ、初期データ等を読出して実行し、本実施形態に係る処理を行う。
【００２１】
ＣＰＵ１９は、アプリケーションの機能に応じた付加情報Ｄ＿ｍａを入力可能に設定し、付加情報Ｄ＿ｍａが設定された場合は、付加情報Ｄ＿ｍａをメモ情報に関連付け、メモ情報および関連付けられた付加情報Ｄ＿ｍａに基づいてアプリケーションを実行する。
また、ＣＰＵ１９は、付加情報Ｄ＿ｍａが設定された場合は、保存メモリ１６に記憶しているメモ情報Ｄ＿ｍに関連付けて付加情報Ｄ＿ｍａを記憶し、付加情報Ｄ＿ｍａを記憶後、新たにアプリケーションを実行する場合には、メモ情報Ｄ＿ｍおよび関連付けられた付加情報Ｄ＿ｍａに基づいてアプリケーションを実行する。
【００２２】
図３は、図１に示した情報処理装置のＣＰＵの機能を説明するための機能ブロック図である。
ＣＰＵ１９は、例えば図３に示すように、メモ入力部１９１、選択部１９２、スケジュール部１９３、電子メール部１９４、および付箋部１９５等を主構成要素としている。
メモ入力部１９１は、例えば第１操作部１４のタッチパネル１４１から入力された信号に応じた処理を行いメモ情報Ｄ＿ｍを生成し、保存メモリ１６の所定のアドレスに保存する。
【００２３】
選択部１９２は、第１操作部１４のタッチパネル１４１からの信号に応じて、少なくとも１つのアプリケーションを選択する。
詳細には、選択部１９２は、例えばスケジュール部１９３、電子メール部１９４、および付箋部１９５等のアプリケーションから、少なくとも１つのアプリケーションを選択する。選択されたアプリケーションそれぞれは、アプリケーションそれぞれの機能に応じた処理を行う。
【００２４】
選択部１９２は、第２操作部１５からの信号、詳細にはメモスイッチ１５１からの信号の入力に応じて、メモ入力部１９１を選択する。
スケジュール部１９３は、スケジュールに関する処理を行う。
例えばスケジュール部１９３は、選択部１９２により選択信号Ｓ１９２が入力されると、例えばメモ情報Ｄ＿ｍに付加しスケジュールに関する情報の入力を要求する画面表示を表示部１３に行わせ、第１操作部１４による入力信号に基づいて、メモ情報Ｄ＿ｍに関連付けるスケジュール情報Ｄ＿ｍ１９３を生成し、メモ情報Ｄ＿ｍと関連付けて保存メモリ１６に記憶する。
【００２５】
電子メール部１９４は、電子メールの送受信に関する処理を行う。
例えば電子メール部１９４は、選択部１９２により選択信号Ｓ１９２が入力されると、例えばメモ情報Ｄ＿ｍに付加し電子メールの送受信に関する情報の入力を要求する画面表示を表示部１３に行わせ、第１操作部１４による入力信号に基づいて、メモ情報Ｄ＿ｍに関連付けるメール情報Ｄ＿ｍ１９４を生成し、メモ情報Ｄ＿ｍと関連付けて保存メモリ１６に記憶する。
【００２６】
付箋部１９５は、付箋処理、例えば表示部１３の画面上の小領域に用件等を表示させる処理機能である。
付箋部１９５は、選択部１９２により選択信号Ｓ１９２が入力されると、例えばメモ情報Ｄ＿ｍに付加し付箋に関する情報の入力を要求する画面表示を表示部１３に行わせ、第１操作部１４による入力信号に基づいてメモ情報Ｄ＿ｍに関連付ける付箋情報Ｄ＿ｍ１９５を生成し、メモ情報Ｄ＿ｍと関連付けて保存メモリ１６に記憶する。例えば付箋情報Ｄ＿ｍ１９５を表示部１３の表示領域に関する情報を含む。
【００２７】
図４は図１に示した情報処理装置の動作を説明するためのフローチャートである。図５は図１に示した情報処理装置の動作を説明するための表示画像の一具体例である。図４，５を参照しながら、情報処理装置１のメモ情報の処理に関する動作をＣＰＵ１９の動作を中心に説明する。
【００２８】
ステップＳＴ１において、ＣＰＵ１９では、表示部１９に通常の表示モードとして例えば計時部１２で計時されている時刻情報に応じた時刻画像を表示部１３に表示させる。
ステップＳＴ２において、ＣＰＵ１９では、メモ（書く）スイッチ１５１が操作されたか否かが判別され、操作されていないと判別した場合には、ステップＳＴ１の処理に戻る。
【００２９】
一方、ステップＳＴ２において、メモスイッチ１５１が操作されたと判別された場合には、詳細にはＩ／Ｏ１５５を介して信号Ｓ１５１がＣＰＵ１９に入力された場合には、選択部１９２ではメモ入力部１９１を起動させる。メモ入力部１９１では、例えば図５に示す画像Ｖ＿１を表示させる（ＳＴ３）。
画像Ｖ＿１は、例えばメモ入力領域Ｖ＿１１と、アプリケーションが関連付けられた複数のアイコンＩｃ、例えばスケジュールアイコンＩｃ＿１２、電子メールアイコンＩｃ＿１３、付箋アイコンＩｃ＿１４等を含むメニューを有する。
【００３０】
ステップＳＴ４において、画像Ｖ＿１のメモ入力領域Ｖ＿１１に対応する、タッチパネル１４１上の領域で、タッチペン２０等が操作されると、タッチパネル１４１からその操作に応じた信号が入力／出力制御部１４２を介してメモ入力部１９１に入力される。
メモ入力部１９１では、例えば、その信号に応じたメモ情報Ｄ＿ｍを生成し、保存メモリ１６に記憶させる（ＳＴ５）。また、メモ入力部１９１は、表示部１３に、メモ情報Ｄ＿ｍに応じた画像をメモ入力領域Ｖ＿１１内に表示させる。
【００３１】
ステップＳＴ６において、所望のアプリケーションが選択される。詳細には、画像Ｖ＿１に表示されているアプリケーションが関連付けられた複数のアイコンＩｃから、少なくとも１アプリケーションが選択される。
例えば、スケジュールアイコンＩｃ＿１２の表示領域に対応する、タッチパネル１４１上の領域がタッチペン２０等により接触されると、その領域を示す信号がタッチパネル１４１からＣＰＵ１９に入力される。選択部１９２では、その信号に応じたアプリケーションを選択し起動する。
また、ステップＳＴ６において、不図示の終了アイコンが操作されると、ステップＳＴ１の処理に戻る。
【００３２】
例えば、ステップＳＴ６において、スケジュールアイコンＩｃ＿１２が操作された場合には、選択部１９２は選択信号Ｓ１９２をスケジュール部１９３に出力し起動させる。
スケジュール部１９３では、受信した選択部１９２による信号Ｓ１９２により起動し、メモ情報Ｄ＿ｍと関連付け、スケジュールに関する付加情報Ｄ＿ｍａ、例えば日付情報Ｄ＿ｍ１９３を入力させる画像を表示部１３に表示させ、付加情報Ｄ＿ｍａの入力を要求する。例えば、スケジュール部１９３は、図５に示す画像Ｖ＿２を表示部１３に表示させ、日付情報の入力を要求する（ＳＴ７）。
【００３３】
画像Ｖ＿２には、例えば、メモ情報Ｄ＿ｍを貼り付けるための年月日情報を含むカレンダＶ＿２１と、先月を表示させる先月アイコンＩｃ＿２２、次月を表示させる次月アイコンＩｃ２３を有する。
【００３４】
スケジュール部１９３では、タッチパネル１４１上のカレンダＶ＿２１に対応する領域内が操作された場合には、その領域に対応する日付情報を、メモ情報Ｄ＿ｍに関連付ける付加情報Ｄ＿ｍａとする。
【００３５】
また、例えばスケジュール１９３部では、表示部１３に例えば図５に示すように、確認画像Ｖ＿３を表示させ、メモ情報Ｄ＿ｍを貼り付ける（関連付ける）日付情報の確認を行う（ＳＴ８）。
確認画像Ｖ＿３は、例えば画像確認メッセージＶ＿３１、同意を示す同意（はい）アイコンＩｃ＿３２、不同意を示す不同意（いいえ）アイコンＩｃ＿３３を含む。
【００３６】
スケジュール部１９３は、画像確認メッセージＶ＿３１内に、保存メモリ１６が記憶するメモ情報Ｄ＿ｍと日付情報Ｄ＿ｍ１９３を表示部１３に表示させる。
スケジュール部１９３は、確認が取れた場合、例えば同意（はい）アイコンＩｃ＿３２が操作された場合には、例えば図５に示すように所定の日付にメモ情報を貼り付けたことを示す画像Ｖ＿４を表示部１３に表示させ、メモ情報Ｄ＿ｍと日付情報Ｄ＿ｍ１９３とを関連付けて、保存メモリ１６に記憶し（ＳＴ９）、ステップＳＴ６の処理に戻る。
【００３７】
または処理を終了する場合には不図示の終了アイコンを操作し、所定時間後例えば３秒後にステップＳＴ１の処理に戻り、表示部１３に計時部１２で計時されている時刻情報に応じた時刻画像Ｖ＿５を表示させる。
【００３８】
スケジュール部１９３は、例えば、タッチパネル１４１からスケジュールを読出す信号が入力された場合には、保存メモリ１６から日付情報Ｄ＿ｍ１９３と、関連付けられているメモ情報Ｄ＿ｍとを読み出し、表示部１３に表示させる。
また、スケジュール部１９３は、例えば計時部１２による計時時刻が日付情報Ｄ＿ｍ１９３が示す日付になると、日付情報Ｄ＿ｍ１９３と関連付けられているメモ情報Ｄ＿ｍを保存メモリ１６から読出し表示部１３に表示させる。
【００３９】
一方、ステップＳＴ６において、例えば、電子メールアイコンＩｃ＿１３の表示領域に対応する、タッチパネル１４１上の領域がタッチペン２０等により接触されると、その領域を示す信号がタッチパネル１４１からＣＰＵ１９に入力される。
選択部１９２では、選択信号Ｓ１９２を電子メール部１９４に出力し起動させる。
【００４０】
電子メール部１９４では、選択信号Ｓ１９２により起動し、メモ情報Ｄ＿ｍと関連付け、電子メールに関する付加情報Ｄ＿ｍａ、例えば送信先のアドレス情報Ｄ＿ｍ１９４を入力させる画像を表示部１３に表示させ、付加情報Ｄ＿ｍａの入力を要求する。例えば、電子メール部１９４は、図５に示す画像Ｖ＿６を表示部１３に表示させ、送信先のアドレス情報Ｄ＿ｍ１９４の入力を要求する（ＳＴ１０）。
【００４１】
画像Ｖ＿６には、例えば保存メモリ１６が記憶するアドレス情報の一覧表が表示されるアドレス一覧領域Ｖ＿６１、新宛先アイコンＩｃ＿６２、一覧表を編集させるアドレス編集アイコンＩｃ＿６３等を有する。
【００４２】
電子メール部１９４では、例えば、新宛先アイコンＩｃ＿６２に対応する、タッチパネル１４１上の領域がタッチペン２０等により接触されると、タッチパネル１４１によるその領域を示す信号に応じて、表示部１３に新たなメールアドレスを入力させる画像Ｖ＿７を表示させる。
画像Ｖ＿７には、例えばメールアドレスが表示される表示領域Ｖ＿７１およびソフトキーボードＶ＿７２、次アイコンＩｃ＿７３等を有する。ソフトキーボードＶ＿７２は半角英数字を入力させるためのボタンを含む。
【００４３】
電子メール部１９４では、ソフトキーボードＶ＿７２に対応する、タッチパネル１４１上の領域がタッチペン２０等により接触されると、タッチパネル１４１によるその領域を示す信号に応じてアドレス情報Ｄ＿ｍ１９４を生成し、表示部１３にアドレス情報Ｄ＿ｍ１９４を表示領域Ｖ＿７１に表示させる。電子メール部１９４では、次アイコンＩｃ＿７３が操作されると、表示部１３に画像Ｖ＿８を表示させる。
【００４４】
また、電子メール部１９４では、例えば、アドレス編集アイコンＩｃ＿６２に対応する、タッチパネル１４１上の領域がタッチペン２０等により接触されると、タッチパネル１４１によるその領域を示す信号に応じて、表示部１３にアドレス一覧を編集させる画像Ｖ＿９を表示させる。
画像Ｖ＿９には、例えばアドレス一覧領域Ｖ＿９１、新宛先アイコンＩｃ＿９２、削除アイコンＩｃ＿９３等を有する。
【００４５】
例えば、電子メール部１９４では、アドレス一覧領域Ｖ＿９１内の、編集したい所望アドレスを示す領域が操作されると、表示部１３に、そのアドレスを編集させる画像Ｖ＿１０を表示させる。
また、電子メール部１９４では、新宛先アイコンＩｃ＿９２が操作された場合には、表示部１３に新たにアドレスを追加させる画像Ｖ＿１０を表示させる。
【００４６】
画像Ｖ＿１０には、例えばメールアドレスが表示される表示領域Ｖ＿１０１およびソフトキーボードＶ＿１０２、編集終了アイコンＩｃ＿１０３等を有する。電子メール部１９４は、ソフトキーボードＶ＿１０２の操作に応じて、表示領域Ｖ＿１０１にアドレスを表示させ、編集終了アイコンＩｃ＿１０３が操作されると、編集を終了する。
【００４７】
また、電子メール部１９４では、アドレス一覧領域Ｖ＿９１内のアドレスを示す領域が操作され、削除アイコンＩｃ＿９３が操作されると、そのアドレスを保存メモリ１６から消去する。
【００４８】
一方、電子メール部１９４は、アドレス一覧領域Ｖ＿６１から所望のメールアドレスに対応する、タッチパネル１４１上の領域がタッチペン２０等により接触されると、タッチパネル１４１からその領域を示す信号に応じて、表示部１３に確認のための画像Ｖ＿８を表示させる（ＳＴ８）。
画像Ｖ＿８には、例えば宛先アドレスを表示する宛先アドレス表示領域Ｖ＿８１、メモ情報Ｄ＿ｍが表示されるメモ表示領域Ｖ＿８２、送信（送る）アイコンＩｃ＿８３等を有する。
詳細には電子メール部１９４は、保存メモリ１６が記憶するメモ情報Ｄ＿ｍを読み出しメモ表示領域Ｖ＿８２に表示させ、メモ情報Ｄ＿ｍに関連付けるアドレス情報Ｄ＿ｍ１９４を、宛先アドレス表示領域Ｖ＿８１に表示させる。
【００４９】
電子メール部１９４は、送信（送る）アイコンＩｃ＿８３が操作されると、保存メモリ１６にメモ情報Ｄ＿ｍと関連付けてアドレス情報Ｄ＿ｍ１９４を記憶し（ＳＴ１３）、通信Ｉ／Ｆ１１を介して不図示のメールサーバにメールを送信する。
【００５０】
ステップＳＴ１３において、電子メール部１９４は、例えば保存メモリ１６に記憶するメモ情報Ｄ＿ｍを添付ファイルとして、アドレス情報Ｄ＿ｍ１９４の宛先アドレスに送信する。
電子メール部１９４は、例えば、メール送信中は、表示部１３に送信中画像Ｖ＿１１を表示させ、送信完了の時には表示部１３に送信完了画像Ｖ＿１２を表示させ、ステップＳＴ６の処理に戻る。または処理を終了する場合には不図示の終了アイコンを操作し、所定時間後、例えば３秒後にステップＳＴ１の処理に戻り、表示部１３に計時部１２で計時されている時刻情報に応じた時刻画像Ｖ＿５を表示させる。
【００５１】
一方、送信不可の場合には送信不可を示す画像Ｖ＿１３を表示させ、再送信を試み、送信できない場合には未送を示す画像を表示させる。
また、リストにない新たな宛先のメール送信を完了した場合、電子メール部１９４は、例えば図５に示すようにアドレスリストに追加を促す画像Ｖ＿１４を表示部１３に表示させる。
画像Ｖ＿１４は、例えば送信先アドレスが表示される表示領域Ｖ＿１４１、同意（はい）アイコンＩｃ＿１４２、不同意（いいえ）アイコンＩｃ＿１４３等を有する。電子メール部１９４は、同意（はい）アイコンＩｃ＿１４２が操作されると、メールアドレスを保存メモリ１６のメールリストに追加する。
【００５２】
このように、電子メール部１９４は、メモ入力部１９１で入力したメモ情報Ｄ＿ｍを用いて、メモ情報Ｄ＿ｍにアドレス情報Ｄ＿ｍ１９４を付加するだけで、煩雑な操作を行うことなく電子メールを送信することができる。
【００５３】
一方、ステップＳＴ６において、例えば、付箋アイコンＩｃ＿１４の表示領域に対応する、タッチパネル１４１上の領域がタッチペン２０等により接触されると、その領域を示す信号がタッチパネル１４１からＣＰＵ１９に入力される。
選択部１９２では、選択信号Ｓ１９２を付箋部部１９５に出力し起動させる（ＳＴ１４）。
【００５４】
付箋部１９５では、選択信号Ｓ１９２により起動し、メモ情報Ｄ＿ｍと関連付け、付箋に関する付加情報Ｄ＿ｍａ、例えば付箋を表示部１３の所定領域に貼り付ける付箋情報Ｄ＿ｍ１９５を生成し、表示部１３の所定領域に貼付け（ＳＴ１５）、付箋情報Ｄ＿ｍ１９５をメモ情報Ｄ＿ｍと関連付けて保存メモリ１６に記憶する。
【００５５】
付箋部１９５は、この際例えば図５に示すように、貼付けたことを示す確認画像Ｖ＿１５を表示部１３に表示させ、ステップＳＴ６の処理に戻る。
または処理を終了する場合には不図示の終了アイコンを操作し、所定時間後、例えば３秒後にステップＳＴ１の処理に戻り、表示部１３に計時部１２で計時されている時刻情報に応じた時刻画像Ｖ＿５を表示させる。画像Ｖ＿１５には、例えば日付情報と貼付けたことを示す画像を含む。
【００５６】
以上説明したように、メモ情報Ｄ＿ｍを入力可能に設定させるためのメモスイッチ１５１を含む第２操作部１５と、少なくともメモ情報を入力する第１操作部１４と、第１操作部１４により入力されたメモ情報と、メモ情報を基に異なる処理を行う複数のアプリケーションを選択可能なメニューを表示する表示部１３と、表示部１３が表示したメニューから、少なくとも一アプリケーションを選択する選択部１９２と、選択部１９２が選択したアプリケーションの機能に応じた付加情報Ｄ＿ｍａを第１操作部１４で入力可能に設定し、第１操作部１４から付加情報Ｄ＿ｍａが設定された場合は、付加情報Ｄ＿ｍａをメモ情報Ｄ＿ｍに関連付け、メモ情報Ｄ＿ｍおよび付加情報Ｄ＿ｍａに基づいてアプリケーションを実行するＣＰＵ１９とを設けたので、重複してメモ情報を入力することなく、複数のアプリケーションを実行することができる。
【００５７】
上述の構成にタッチパネル１４１を含み、例えばユーザがアイデア等の内容を忘れないように、先ずタッチパネル１４１からメモ情報を入力し、そのメモ情報を、複数のアプリケーションにより共用し、必要事項のみ入力すればよいので、同じデータを複数回入力することなく簡単に操作可能である。例えば、機械操作に不慣れなユーザにとって、簡単な操作のユーザインタフェースを提供することができる。
【００５８】
また、メモ情報を複数のアプリケーション間で共通に使用することで、保存メモリ１６の容量を従来の情報処理装置と比べて小さくすることができる。またメモ情報を複数のアプリケーション間で共通に使用することで、アプリケーションを含めたプログラムの処理手順数を、従来の情報処理装置に比べて、小さくすることができる。
【００５９】
なお、本発明は本実施の形態に限られるものではなく、任意好適な種々の改変が可能である。
例えば、本実施系形態では、入力されたメモ情報Ｄ＿ｍを基にアプリケーションを実行したが、この形態に限られるものではない。例えばメモ情報Ｄ＿ｍを入力後、そのメモ情報を修正可能にし、アプリケーションでは修正されたメモ情報に応じた処理を行うことで、より簡単なユーザインタフェースを提供することができる。
【００６０】
本実施形態では、アプリケーションとして、スケジュール部１９３、電子メール部１９４、付箋部１９５を例示したが、この形態に限られるものではない。それ以外の所定の機能を有する複数のアプリケーションを有してよい。選択部は、複数のアプリケーションから少なくとも一アプリケーションを選択する。
【００６１】
【発明の効果】
本発明によれば、重複してデータを入力することなく、複数のアプリケーションを実行することができる情報処理装置、および情報処理方法を提供することができる。
【図面の簡単な説明】
【図１】本発明に係る情報処理装置の一実施形態を示す機能ブロック図である。
【図２】図１に示した情報処理装置の正面図である。
【図３】図１に示した情報処理装置のＣＰＵの機能を説明するための機能ブロック図である。
【図４】図１に示した情報処理装置の動作を説明するためのフローチャートである。
【図５】図１に示した情報処理装置の動作を説明するための表示画像の一具体例である。
【符号の説明】
１…情報処理装置、１１…通信インタフェース（Ｉ／Ｆ）、１２…計時部、１３…表示部、１４…第１操作部、１５…第２操作部、１６…保存メモリ、１７…ＲＡＭ、１８…ＲＯＭ、１９…ＣＰＵ、１４１…タッチパネル、１４２…入力／出力制御部、１５０…操作スイッチ、１５１…メモスイッチ、１５２…モードスイッチ、１５３…前スイッチ、１５４…次スイッチ、１５５…Ｉ／Ｏ、１９１…メモ入力部、１９２…選択部、１９３…スケジュール部、１９４…電子メール部、１９５…付箋部。
【図１】
2004272491.tif 000003
【図２】
2004272491.tif 000004
【図３】
2004272491.tif 000005
【図４】
2004272491.tif 000006
【図５】
2004272491.tif 000007